(57)【要約】      （修正有）【課題】簡易な処理にて、撮影画像の領域を、被写体の領域と背景の領域とに区分できる、カメラ機能を有する機器を提供する。【解決手段】携帯電話機は、画像を撮影する第１撮影部２０と、第１撮影部２０が撮影する方向へ発光する画像出力部１３と、第１撮影部２０および画像出力部１３を制御する制御部１１と、を備える。ここで、制御部１１は、シャッター操作に基づいて、画像出力部１３を発光させずに第１撮影部２０で画像を撮影する第１の撮影と画像出力部１３を発光させて第１撮影部２０で画像を撮影する第２の撮影とを行い、第１の撮影により撮影された第１撮影画像と第２の撮影により撮影された第２撮影画像の同じ部位同士の状態の違いに基づいて、前記第１撮影画像の領域を、被写体の領域と背景の領域とに区分する。【選択図】図２
2015104031.tif 000002
【特許請求の範囲】
【請求項１】
画像を撮影する撮影部と、
前記撮影部が撮影する方向へ発光する発光部と、
前記撮影部および前記発光部を制御する撮影制御部と、を備え、
前記撮影制御部は、
シャッター操作に基づいて、前記発光部を発光させずに前記撮影部で画像を撮影する第１の撮影と前記発光部を発光させて前記撮影部で画像を撮影する第２の撮影とを行い、
前記第１の撮影により撮影された第１画像と前記第２の撮影により撮影された第２画像の同じ部位同士の状態の違いに基づいて、前記第１画像の領域を、被写体の領域と背景の領域とに区分する、
ことを特徴とするカメラ機能を有する機器。
【請求項２】
請求項１に記載のカメラ機能を有する機器において、
前記撮影制御部は、前記第２の撮影において前記発光部に白色の光を発せさせ、前記第１画像と前記第２画像の同じ部位同士の明るさの違いに基づいて、前記第１画像の領域を、前記被写体の領域と前記背景の領域とに区分する、
ことを特徴とするカメラ機能を有する機器。
【請求項３】
請求項１に記載のカメラ機能を有する機器において、
前記撮影制御部は、前記第２の撮影において前記発光部に有彩色の光を発せさせ、前記第１画像と前記第２画像の同じ部位同士の色の違いに基づいて、前記第１画像の領域を、前記被写体の領域と前記背景の領域とに区分する、
ことを特徴とするカメラ機能を有する機器。
【請求項４】
請求項３に記載のカメラ機能を有する機器において、
前記撮影制御部は、前記発光部から発せられる光の色を設定するための設定操作を受け付ける、
ことを特徴とするカメラ機能を有する機器。
【請求項５】
請求項４に記載のカメラ機能を有する機器において、
前記設定操作は、ユーザに前記被写体に含まれる色を選択させる操作を含み、
前記撮影制御部は、選択された色の補色を前記発光部が発する光の色に設定する、
ことを特徴とするカメラ機能を有する機器。
【請求項６】
請求項４に記載のカメラ機能を有する機器において、
表示部と、当該表示部上のユーザに指し示された指示位置を検出する位置検出部と、をさらに備え、
前記撮影制御部は、
前記第２の撮影がなされる前に、前記撮影部により撮影された画像を前記表示部に表示させ、
当該画像が表示された状態において、前記位置検出部により前記指示位置が検出されると、検出された前記指示位置における前記画像の色の補色を前記発光部が発する光の色に設定する、
ことを特徴とするカメラ機能を有する機器。
【請求項７】
請求項１に記載のカメラ機能を有する機器において、
前記カメラ機能を有する機器の周囲の明るさを検出する明るさ検出部を、さらに備え、
前記撮影制御部は、
前記明るさ検出部により検出された明るさが所定の明るさを超えない場合、前記第２
の撮影において前記発光部に白色の光を発せさせ、前記第１画像と前記第２画像の同じ部位同士の明るさの違いに基づいて、前記第１画像の領域を、前記被写体の領域と前記背景の領域とに区分し、
前記明るさ検出部により検出された明るさが前記所定の明るさを超える場合、前記第２の撮影において前記発光部に有彩色の光を発せさせ、前記第１画像と前記第２画像の同じ部位同士の色の違いに基づいて、前記第１画像の領域を、前記被写体の領域と前記背景の領域とに区分する、
ことを特徴とするカメラ機能を有する機器。
【請求項８】
請求項１ないし７の何れか一項に記載のカメラ機能を有する機器において、
前記撮影制御部は、前記背景の領域の画像をぼかす処理を実行する、
ことを特徴とするカメラ機能を有する機器。
【請求項９】
請求項１ないし７の何れか一項に記載のカメラ機能を有する機器において、
前記撮影制御部は、前記被写体の領域の画像を前記第１画像から切り取って背景となる所定の画像に張り付ける、
ことを特徴とするカメラ機能を有する機器。
【請求項１０】
シャッター操作に基づいて、撮影方向に向けた発光を行わずに画像を撮影する第１の撮影と前記撮影方向に向けた発光を行って画像を撮影する第２の撮影とを行うステップと、
前記第１の撮影により撮影された第１画像と前記第２の撮影により撮影された第２画像の同じ部位同士の状態の違いに基づいて、前記第１画像の領域を、被写体の領域と背景の領域とに区分するステップと、を含む、
ことを特徴とする撮影制御方法。
【請求項１１】
画像を撮影する撮影部と、前記撮影部が撮影する方向へ発光する発光部と、を備えるカメラ機能を有する機器のコンピュータに、
シャッター操作に基づいて、前記発光部を発光させずに前記撮影部で画像を撮影する第１の撮影と前記発光部を発光させて前記撮影部で画像を撮影する第２の撮影とを行う機能と、
前記第１の撮影により撮影された第１画像と前記第２の撮影により撮影された第２画像の同じ部位同士の状態の違いに基づいて、前記第１画像の領域を、被写体の領域と背景の領域とに区分する機能と、を付与する、
ことを特徴とするプログラム。
【発明の詳細な説明】
【技術分野】
【０００１】
本発明は、デジタルカメラ、カメラ付き携帯電話機、カメラ付きＰＤＡ（PersonalDigital Assistant）、カメラ付きタブレットＰＣ（Tablet PC）等のカメラ機能を有する機器に関する。また、本発明は、かかるカメラ機能を有する機器に適用できる撮影制御方法およびプログラムに関する。
【背景技術】
【０００２】
従来、携帯電話機等の携帯端末装置の多くに、カメラが搭載されている。携帯端末装置は厚みが小さく、携帯端末装置には、収容スペースの関係から、単焦点の広角カメラが用いられやすい。広角カメラは、被写界深度が深く、手前から奥へと広い範囲に焦点が合う。このため、撮影された画像には、被写体と背景の双方がはっきりと映し出される。
【０００３】
ユーザは、被写体を際立たせるために被写体がはっきりし背景がぼけた撮影画像を望む場合がある。携帯端末装置が、オートフォーカスタイプの広角カメラを備える場合には、フォーカスレンズを制御して焦点が合った画像と焦点が合わない画像を撮影し、これら２つの撮影画像を合成することにより、被写体がはっきりし背景がぼけた撮影画像を得ることができる（特許文献１参照）。
【先行技術文献】
【特許文献】
【０００４】
【特許文献１】特開２００３−００８９６６号公報
【発明の概要】
【発明が解決しようとする課題】
【０００５】
上記の手法は、カメラがピントを合わせる位置を変更できない場合は用いることができない。そこで、Ｂｌｕｒフィルタ、Ｇａｕｓｓｉａｎフィルタ、Ｍｅｄｉａｎフィルタ等、既知の手法を用いたぼかし処理を背景に適用することにより、背景がぼけた撮影画像を得ることが考えられる。
【０００６】
しかしながら、背景にぼかし処理を適用するためには、撮影画像において、被写体の領域と背景の領域とが区分される必要がある。
【０００７】
この場合、機器に複雑な処理が求められないようにすること、即ち、簡易な処理にて、被写体の領域と背景の領域とを区分できることが望ましい。
【０００８】
本発明は、簡易な処理にて、撮影画像の領域を、被写体の領域と背景の領域とに区分できる、カメラ機能を有する機器を提供することを目的とする。
【課題を解決するための手段】
【０００９】
本発明の第１の態様は、カメラ機能を有する機器に関する。本態様に係るカメラ機能を有する機器は、画像を撮影する撮影部と、前記撮影部が撮影する方向へ発光する発光部と、前記撮影部および前記発光部を制御する撮影制御部と、を備える。ここで、前記撮影制御部は、シャッター操作に基づいて、前記発光部を発光させずに前記撮影部で画像を撮影する第１の撮影と前記発光部を発光させて前記撮影部で画像を撮影する第２の撮影とを行い、前記第１の撮影により撮影された第１画像と前記第２の撮影により撮影された第２画像の同じ部位同士の状態の違いに基づいて、前記第１画像の領域を、被写体の領域と背景の領域とに区分する。
【００１０】
本態様に係るカメラ機能を有する機器において、前記撮影制御部は、前記第２の撮影において前記発光部に白色の光を発せさせ、前記第１画像と前記第２画像の同じ部位同士の明るさの違いに基づいて、前記第１画像の領域を、前記被写体の領域と前記背景の領域とに区分するよう構成され得る。
【００１１】
本態様に係るカメラ機能を有する機器において、前記撮影制御部は、前記第２の撮影において前記発光部に有彩色の光を発せさせ、前記第１画像と前記第２画像の同じ部位同士の色の違いに基づいて、前記第１画像の領域を、前記被写体の領域と前記背景の領域とに区分するよう構成され得る。
【００１２】
上記構成とされた場合、さらに、前記撮影制御部は、前記発光部から発せられる光の色を設定するための設定操作を受け付けるよう構成され得る。
【００１３】
上記のように設定操作を受け付ける構成とされた場合、前記設定操作は、ユーザに前記被写体に含まれる色を選択させる操作を含み得る。この場合、前記撮影制御部は、選択された色の補色を前記発光部が発する光の色に設定するよう構成され得る。
【００１４】
上記のように設定操作を受け付ける構成とされた場合、カメラ機能を有する機器は、表示部と、当該表示部上のユーザに指し示された指示位置を検出する位置検出部と、をさらに備える構成とされ得る。この場合、前記撮影制御部は、前記第２の撮影がなされる前に、前記撮影部により撮影された画像を前記表示部に表示させ、当該画像が表示された状態において、前記位置検出部により前記指示位置が検出されると、検出された前記指示位置における前記画像の色の補色を前記発光部が発する光の色に設定するよう構成され得る。
【００１５】
本態様に係るカメラ機能を有する機器は、当該カメラ機能を有する機器の周囲の明るさを検出する明るさ検出部を、さらに備えるよう構成され得る。この場合、前記撮影制御部は、前記明るさ検出部により検出された明るさが所定の明るさを超えない場合、前記第２の撮影において前記発光部に白色の光を発せさせ、前記第１画像と前記第２画像の同じ部位同士の明るさの違いに基づいて、前記第１画像の領域を、前記被写体の領域と前記背景の領域とに区分し、前記明るさ検出部により検出された明るさが前記所定の明るさを超える場合、前記第２の撮影において前記発光部に有彩色の光を発せさせ、前記第１画像と前記第２画像の同じ部位同士の色の違いに基づいて、前記第１画像の領域を、前記被写体の領域と前記背景の領域とに区分するよう構成され得る。
【００１６】
本態様に係るカメラ機能を有する機器において、前記撮影制御部は、前記背景の領域の画像をぼかす処理を実行するよう構成され得る。
【００１７】
本態様に係るカメラ機能を有する機器において、前記撮影制御部は、前記被写体の領域の画像を前記第１画像から切り取って背景となる所定の画像に張り付けるよう構成され得る。
【００１８】
本発明の第２の態様は、撮影制御方法に関する。本態様に係る撮影制御方法は、シャッター操作に基づいて、撮影方向に向けた発光を行わずに画像を撮影する第１の撮影と前記撮影方向に向けた発光を行って画像を撮影する第２の撮影とを行うステップと、前記第１の撮影により撮影された第１画像と前記第２の撮影により撮影された第２画像の同じ部位同士の状態の違いに基づいて、前記第１画像の領域を、被写体の領域と背景の領域とに区分するステップと、を含む。
【００１９】
本発明の第３の態様は、画像を撮影する撮影部と、前記撮影部が撮影する方向へ発光す
る発光部と、を備えるカメラ機能を有する機器のコンピュータに適用されるプログラムに関する。本態様に係るプログラムは、前記カメラ機能を有する機器のコンピュータに、シャッター操作に基づいて、前記発光部を発光させずに前記撮影部で画像を撮影する第１の撮影と前記発光部を発光させて前記撮影部で画像を撮影する第２の撮影とを行う機能と、前記第１の撮影により撮影された第１画像と前記第２の撮影により撮影された第２画像の同じ部位同士の状態の違いに基づいて、前記第１画像の領域を、被写体の領域と背景の領域とに区分する機能と、を付与する。
【００２０】
なお、「被写体」とは、背景と背景の手前に位置する主たる撮影対象とを合わせた全ての撮影対象を意味する場合と、背景の手前に位置する主たる撮影対象を意味する場合とがあるが、本発明の「被写体」は、後者の、背景の手前に位置する主たる撮影対象を意味する。
【発明の効果】
【００２１】
本発明によれば、簡易な処理にて、撮影画像の領域を、被写体の領域と背景の領域とに区分できる。
【００２２】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係る、携帯電話機の構成を示す図である。
【図２】実施の形態に係る、携帯電話機の全体構成を示すブロック図である。
【図３】実施の形態に係る、ホーム画面が表示されたディスプレイを示す図である。
【図４】実施例１に係る、背景ぼかしモードの撮影処理を示すフローチャートである。
【図５】実施例１に係る、プレビュー画像を含む撮影画面が表示されたディスプレイ、および、保存ウィンドウが撮影画面に重ねられたディスプレイを示す図である。
【図６】実施例１に係る、第１撮影画像、第２撮影画像、第１撮影画像に設定された被写体領域と背景領域、および、背景領域にぼかし処理が適用された第１撮影画像を示す図である。
【図７】変更例１に係る、背景ぼかしモードの撮影処理を示すフローチャートである。
【図８】変更例２に係る、背景ぼかしモードの撮影処理を示すフローチャート、および、色選択ウィンドウが表示されたディスプレイを示す図である。
【図９】変更例３に係る、背景ぼかしモードの撮影処理を示すフローチャート、および、ディスプレイにタッチを促すメッセージが表示され、ユーザにより被写体の所定の位置がタッチされる様子を示す図である。
【図１０】変更例４に係る、背景ぼかしモードの撮影処理を示すフローチャートである。
【図１１】実施例２に係る、画像合成モードの撮影処理を示すフローチャートである。
【図１２】実施例２に係る、第１撮影画像から切り取られた被写体領域の画像、背景選択画面が表示されたディスプレイ、および、選択された背景画像に、切り取られた被写体領域の画像が張り付けられた合成画像を示す図である。
【図１３】実施例１の変更例に係る、フラッシュ発光が行われる旨のメッセージが表示されたディスプレイを示す図である。
【発明を実施するための形態】
【００２４】
以下、本発明の実施の形態について、図面を参照して説明する。
【００２５】
＜携帯電話機の構成＞
図１（ａ）ないし（ｃ）は、それぞれ、携帯電話機１の正面図、背面図および右側面図
である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００２６】
図１（ａ）ないし（ｃ）に示されるように、携帯電話機１は、キャビネット２と、ディスプレイ３と、タッチパネル４と、マイクロフォン５と、通話スピーカ６と、外部スピーカ７と、インカメラ８と、アウトカメラ９とを含む。
【００２７】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、液晶ディスプレイであり、液晶パネルと、液晶パネルを照明するＬＥＤバックライトを含む。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２８】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２９】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００３０】
キャビネット２の上部には、正面側にインカメラ８が配されており、背面側にアウトカメラ９が配されている。インカメラ８およびアウトカメラ９は、何れも、単焦点の広角カメラである。インカメラ８は、携帯電話機１の正面方向に存在する撮影対象を撮影する。インカメラ８は、ＣＣＤ、ＣＭＯＳセンサ等の撮像素子と、撮影対象の像を撮像素子に結像させる単焦点の広角レンズとを含む。アウトカメラ９は、携帯電話機１の背面方向に存在する撮影対象を撮影する。アウトカメラ９は、ＣＣＤ、ＣＭＯＳセンサ等の撮像素子と、撮影対象の像を撮像素子に結像させる単焦点の広角レンズと、フォーカス調整のためのフォーカスレンズとを含む。
【００３１】
図２は、携帯電話機１の全体構成を示すブロック図である。
【００３２】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、第１撮影部２０と、第２撮影部２１と、照度検出部２２とを含む。
【００３３】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、カメラ、ウェブブラウザ、地図
、ゲーム、スケジュール管理、等のアプリケーションを含む。さらに、記憶部１２に記憶されるプログラムは、後述する、背景ぼかしモード等、各種の撮影モードの撮影処理を実行するためのプログラムを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００３４】
記憶部１２には、プログラムの実行の際、一時的に利用または生成されるデータを記憶するワーキング領域も含まれる。
【００３５】
記憶部１２には、インカメラ８およびアウトカメラ９で撮影された画像のために、画像（画像データ）を一時的に記憶する一時記憶フォルダ１２ａと、画像（画像データ）を恒久的に記憶する恒久記憶フォルダ１２ｂとが用意されている。さらに、記憶部１２には、背景ぼかしモードの撮影処理において、第１の撮影と第２の撮影で得られた画像（画像データ）を一時的に記憶する編集フォルダ１２ｃが用意されている。
【００３６】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、第１撮影部２０、第２撮影部２１、照度検出部２２等）を制御する。
【００３７】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。さらに、画像出力部１３は、制御部１１からの制御信号に応じて、通常の動作時より高い電圧を短い時間、ＬＥＤバクライトへ印加することにより、ディスプレイ３からフラッシュを放出させる。このとき、液晶パネルの一面を白色とすると、白色（無色）のフラッシュが放出され、液晶パネルの一面を、赤、青、緑など、所定の有彩色とすると、所定の有彩色のフラッシュが放出される。
【００３８】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００３９】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。また、タッチパネル４を含むキャビネット２の正面が、ガラス等で構成される透明なカバーで覆われる場合、タッチパネル４へ触れようとする指はタッチパネル４でなくカバーに接触する。この場合、タッチパネル４は、指がカバーに接触したとき、あるいはカバーに近接したときにタッチ位置を検出する。
【００４０】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指
をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００４１】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００４２】
音声入力部１５は、マイクロフォン５を含む。音声入力部１５は、マイクロフォン５からの電気信号を音声処理部１７へ出力する。
【００４３】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００４４】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４５】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４６】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４７】
第１撮影部２０は、図１（ａ）に示すインカメラ８、撮像制御回路などを含む。第１撮影部２０は、インカメラ８により撮影された画像の画像データに各種の画像処理を施し、画像処理後の画像データを制御部１１に出力する。第１撮影部２０は、自動露出機能を有し、適正露出が得られるよう、広角レンズに取り込まれる光量に応じて露出値（絞り値、シャッタースピード）を調整する。さらに、第１撮影部２０は、自動ホワイトバランス機能を有し、広角レンズに取り込まれる光に応じてホワイトバランス値を調整する。
【００４８】
第２撮影部２１は、図１（ｂ）に示すアウトカメラ９、撮像制御回路などを含む。第２撮影部２１は、アウトカメラ９により撮影された画像の画像データに各種の画像処理を施し、画像処理後の画像データを制御部１１に出力する。第２撮影部２１は、第１撮影部２０と同様、自動露出機能および自動ホワイトバランス機能を有する。さらに、第２撮影部２１は、オートフォーカス機能を有し、フォーカスレンズを移動させて、フォーカスを調整する。
【００４９】
照度検出部２２は、照度センサ等を含み、周囲の明るさを検出する。照度センサからは
、周囲の明るさに応じた検出信号が出力され、制御部１１へ入力される。制御部１１は、周囲の明るさに応じて、ディスプレイ３の輝度を調整する。
【００５０】
図３は、ホーム画面１０１が表示されたディスプレイ３を示す図である。
【００５１】
携帯電話機１では、種々の画面がディスプレイ３に表示され、画面上においてユーザにより種々のタッチ操作がなされる。たとえば、初期画面として、ホーム画面１０１がディスプレイ３に表示される。図３に示すように、ホーム画面１０１は、各種のアプリケーションを起動するための起動用アイコン１０１ａを含む。起動用アイコン１０１ａには、たとえば、電話アイコン１０１ｂ、カメラアイコン１０１ｃ、メールアイコン１０１ｄ等が含まれる。
【００５２】
ディスプレイ３には、ホーム画面１０１の他に、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００５３】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２および操作キー群１０３は、ディスプレイ３に表示され続ける。
【００５４】
さて、ホーム画面１０１において、ユーザが、カメラアイコン１０１ｃに対するタップ操作を行うと、カメラのアプリケーションが起動する。カメラのアプリケーションは、各種の撮影モードを有する。
【００５５】
＜実施例１＞
携帯電話機１に搭載されたインカメラ８およびアウトカメラ９は、広角カメラであり、通常の撮影モードで撮影が行われた場合、手前から奥へと広い範囲に焦点が合う。このため、通常の撮影モードで撮影された画像では、手前の被写体と奥の背景の双方がはっきりと映し出される。ユーザは、被写体を際立たせるために被写体がはっきりし背景がぼけた撮影画像を望む場合がある。そこで、本実施例では、携帯電話機１が、撮影モードの一つとして背景ぼかしモードを備えている。背景ぼかしモードは、人物等の被写体を際立たせるために、撮影画像において、被写体ははっきりと映し出し背景はぼかす撮影モードである。背景ぼかしモードの撮影には、インカメラ８（第１撮影部２０）が用いられる。
【００５６】
ディスプレイ３に表示された撮影モードの選択画面（図示せず）から、ユーザにより、背景ぼかしモードが選択されると、撮影モードが背景ぼかしモードに設定される。以下、背景ぼかしモードについて説明する。
【００５７】
図４は、背景ぼかしモードの撮影処理を示すフローチャートである。図５（ａ）は、プレビュー画像１０４ａを含む撮影画面１０４が表示されたディスプレイ３を示す図である。図５（ｂ）は、保存ウィンドウ１０５が撮影画面１０４に重ねられたディスプレイ３を示す図である。
【００５８】
背景ぼかしモードに設定された状態で、カメラのアプリケーションが起動すると、背景ぼかしモードの撮影処理が開始される。
【００５９】
制御部１１は、インカメラ８を起動するとともに（Ｓ１０１）、画像出力部１３を制御して、撮影画面１０４をディスプレイ３に表示する（Ｓ１０２）。
【００６０】
図５（ａ）に示すように、撮影画面１０４は、プレビュー画像１０４ａおよびシャッターオブジェクト１０４ｂを含む。プレビュー画像１０４ａは、どのような画像が撮影されるかをユーザが事前に確認するために表示される。プレビュー画像１０４ａは、撮影される画像より低解像度の画像であり、動画の状態で表示される。シャッターオブジェクト１０４ｂは、シャッター操作に用いられる。
【００６１】
制御部１１は、シャッター操作がなされたか否かを判定する（Ｓ１０３）。ユーザがシャッターオブジェクト１０４ｂ対してタップ操作を行うと、シャッター操作がなされたと判定される。
【００６２】
シャッター操作がなされると（Ｓ１０３：ＹＥＳ）、制御部１１は、インカメラ８により第１の撮影を行う（Ｓ１０４）。第１の撮影では、制御部１１は、ディスプレイ３からフラッシュを放出させない。さらに、制御部１１は、自動露出機能を働かせて適正露出が得られる露出値を決定し、決定した露出値で撮影を行う。制御部１１は、第１の撮影により得られた画像（以下、「第１撮影画像」と称する）の画像データを編集フォルダ１２ｃに記憶する（Ｓ１０５）。
【００６３】
制御部１１は、第１の撮影に続けて第２の撮影を行う（Ｓ１０６）。第１の撮影と第２の撮影との間隔は、その間に被写体が動いてしまわないような短い時間に設定される。第２の撮影では、制御部１１は、ディスプレイ３からフラッシュを放出させる。このとき、制御部１１は、ディスプレイ３の一面を白色にする。これにより、ディスプレイ３からは、白色（無色）のフラッシュが放出される。さらに、制御部１１は、自動露出機能を働かせず、第１の撮影に用いた露出値で撮影を行う。制御部１１は、第２の撮影により得られた画像（以下、「第２撮影画像」と称する）の画像データを編集フォルダ１２ｃに記憶する（Ｓ１０７）。
【００６４】
図６（ａ）は、第１撮影画像を示す図であり、図６（ｂ）は、第２撮影画像を示す図である。図６（ｃ）は、第１撮影画像に設定された被写体領域と背景領域を示す図である。図６（ｄ）は、背景領域にぼかし処理が適用された第１撮影画像を示す図である。図６（ａ）ないし（ｄ）には、部屋の中で人物が撮影された事例が示されている。
【００６５】
図６（ａ）および（ｂ）を参照し、インカメラ８から見て、被写体である人物は手前に位置し、背景である部屋の風景は奥に位置する。第２の撮影では、白色のフラッシュが使用される。このため、第２撮影画像において、手前に位置するためフラッシュが届きやすい被写体（人物）は、第１撮影画像に比べて明るく写し出され、奥に位置するためフラッシュが届きにくい背景（部屋の風景）は、第１撮影画像と同程度の明るさに映し出される。第２の撮影では、フラッシュが放出されるため、インカメラ８に取り込まれる光量が多くなるが、自動露出機能による、多くなった光量に応じた露出の調整は行われず、第１の撮影時の露出値が用いられる。よって、第２の撮影では、被写体がより明るく映し出される。
【００６６】
制御部１１は、第１撮影画像と第２撮影画像の同じ画素同士の明るさを比較し（Ｓ１０８）、その比較結果に基づいて、第１撮影画像の領域を、被写体の領域（以下、「被写体
領域」と称する）と背景の領域（以下、「背景領域」と称する）に区分する（Ｓ１０９）。すなわち、制御部１１は、図６（ｃ）に示すように、第１撮影画像において、明るさの異なる画素で構成される領域を被写体領域に設定し、明るさの同じ画素で構成される領域を背景領域に設定する。たとえば、制御部１１は、第１撮影画像のある画素の明るさと、その画素と同じ位置にある第２撮影画像の画素の明るさとの差が所定の閾値より大きい場合に、第１撮影画像のある画素を、明るさの異なる画素と看做す。
【００６７】
制御部１１は、背景領域にぼかし処理を適用する（Ｓ１１０）。ぼかし処理の手法として、既知の手法、たとえば、Ｂｌｕｒフィルタ、Ｇａｕｓｓｉａｎフィルタ、Ｍｅｄｉａｎフィルタ等の手法を用いることができる。図６（ｄ）に示すように、第１撮影画像が、被写体がはっきりと映し出され背景がぼけた画像に編集される。
【００６８】
制御部１１は、編集された第１撮影画像の画像データを、一時記憶フォルダ１２ａに一時的に記憶し（Ｓ１１１）、保存の可否をユーザが決定するための保存ウィンドウ１０５を撮影画面１０４に重ねて表示する（Ｓ１１２）。図５（ｂ）に示すように、保存ウィンドウ１０５は、保存オブジェクト１０５ａと取消オブジェクト１０５ｂとを含む。なお、撮影画面１０４には、プレビュー画像１０４ａに代わって、編集後の第１撮影画像である保存対象の画像１０４ｃが含まれる。
【００６９】
制御部１１は、保存対象の画像１０４ｃを保存するか否かを判定する（Ｓ１１３）。ユーザは、保存対象の画像１０４ｃを確認し、保存する場合は保存オブジェクト１０５ａを操作し、保存しない場合は取消オブジェクト１０５ｂを操作する。保存オブジェクト１０５ａに対するタッチ操作（たとえば、タップ操作）がなされると、制御部１１は、保存すると判定し（Ｓ１１３：ＹＥＳ）、保存対象の画像１０４ｃの画像データを恒久記憶フォルダ１２ｂに保存する（Ｓ１１４）。制御部１１は、保存ウィンドウ１０５を閉じ、ステップＳ１０３の処理に戻って、再びシャッター操作を待つ。一方、取消オブジェクト１０５ｂに対するタッチ操作（たとえば、タップ操作）がなされると、制御部１１は、保存しないと判定し（Ｓ１１３：ＮＯ）、保存対象の画像１０４ｃの画像データを恒久記憶フォルダ１２ｂに保存しないで、保存ウィンドウ１０５を閉じ、ステップＳ１０３の処理に戻る。
【００７０】
シャッター操作がなされる前に、カメラのアプリケーションを終了する操作、たとえば、バックキー１０３ｃへのタップ操作がなされると（Ｓ１１５：ＹＥＳ）、制御部１１は、インカメラ８を停止して（Ｓ１１６）、背景ぼかしモードの撮影処理を終了する。
【００７１】
以上、本実施例によれば、撮影画像の領域を、被写体領域と背景領域とに区分し、背景領域にぼかし処理を適用する背景ぼかしモードを、携帯電話機１が備えている。このため、ユーザは、背景ぼかしモードで撮影を行うことにより、被写体が際立った撮影画像（写真）を得ることができる。
【００７２】
さらに、本実施例によれば、フラッシュ発光を行わない状態での第１の撮影とフラッシュ発光を行った状態での第２の撮影とが続けて行われ、２つ撮影画像における同じ画素同士の明るさが比較され、その比較結果に基づいて、撮影画像の領域が、被写体領域と背景領域とに区分される。よって、画像認識のような比較的複雑な処理でなく、２つ撮影画像における同じ画素同士の明るさを判断するという簡易な処理にて、撮影画像の領域を被写体領域と背景領域とに区分できる。
【００７３】
さらに、本実施例では、フラッシュ発光を行う第２の撮影では、自動露出機能による露出の調整が行われない。よって、被写体がより明るく映し出されるので、撮影画像の領域を、被写体領域と背景領域とに区分しやすくなる。
【００７４】
さらに、本実施例では、背景ぼかしモードに、ディスプレイ３と同じ側に配されたインカメラ８が用いられているので、フラッシュの発光部にディスプレイ３を兼用できる。
【００７５】
なお、急なフラッシュ発光によりユーザが驚かないように、フラッシュ発光を行った状態での第２の撮影が行われる直前に、フラッシュ発光が行われることが報知されてもよい。たとえば、ディスプレイ３にフラッシュ発光が行われる旨のメッセージが表示される、またはフラッシュ発光が行われる旨のアナウンスが音声出力されるといった報知の少なくともいずれか一つが実施されてよい。図１３には、ディスプレイ３にフラッシュ発光が行われる旨のメッセージが表示される例が示されている。
【００７６】
また、フラッシュ発光が行われることを報知している間に第１の撮影を行う構成とすれば、報知のために撮影が大幅に遅延することを防ぐことができる。
【００７７】
＜変更例１＞
上記実施例では、背景ぼかしモードにおいて、白色の光がフラッシュとして用いられ、２つの撮影画像の同じ画素同士の明るさの違いに基づいて、被写体領域と背景領域との区分けが行われる。これに対し、本変更例では、背景ぼかしモードにおいて、赤、青、緑等の有彩色の光がフラッシュとして用いられ、２つの撮影画像の同じ画素同士の色の違いに基づいて、被写体領域と背景領域との区分けが行われる。
【００７８】
図７は、本変更例に係る、背景ぼかしモードの撮影処理を示すフローチャートである。図７の撮影処理では、図４の撮影処理のステップ１０６ないしステップＳ１０９の処理が、ステップＳ１２１ないしステップＳ１２４の処理に置き換えられる。以下、主に、図４の撮影処理と異なる処理について説明する。
【００７９】
制御部１１は、第１撮影画像を記憶すると（Ｓ１０５）、第２の撮影を行う（Ｓ１２１）。第２の撮影では、制御部１１は、ディスプレイ３からフラッシュを放出させる。このとき、制御部１１は、ディスプレイ３の一面を所定の有彩色にする。これにより、ディスプレイ３からは、所定の有彩色のフラッシュが放出される。フラッシュの色は、赤、青、緑など、予め定めた有彩色とすることができる。さらに、制御部１１は、自動露出機能を働かせず、第１の撮影に用いた露出値で撮影を行う。制御部１１は、第２撮影画像の画像データを編集フォルダ１２ｃに記憶する（Ｓ１２２）。
【００８０】
第２の撮影では、有彩色のフラッシュが使用される。このため、第２撮影画像において、手前に位置するためフラッシュが届きやすい被写体は、フラッシュの色味を帯びる。一方、奥に位置するためフラッシュが届きにくい背景は、フラッシュの色味を帯びず、第１撮影画像から変化しない。
【００８１】
制御部１１は、第１撮影画像と第２撮影画像の同じ画素同士の色を比較し（Ｓ１２３）、その比較結果に基づいて、第１撮影画像の領域を、被写体領域と背景領域に区分する（Ｓ１２４）。すなわち、制御部１１は、第１撮影画像において、色の異なる画素で構成される領域を被写体領域に設定し、色の同じ画素で構成される領域を背景領域に設定する。たとえば、制御部１１は、第１撮影画像のある画素の色度（Ｘ値、Ｙ値）と、その画素と同じ位置にある第２撮影画像の画素の色度との差が所定の閾値より大きい場合に、第１撮影画像のある画素を、色の異なる画素と看做す。
【００８２】
制御部１１は、背景領域にぼかし処理を適用する（Ｓ１１０）。第１撮影画像が、被写体がはっきりと映し出され背景がぼけた画像に編集される。
【００８３】
上記実施例のように白色の光をフラッシュに用いた場合、昼間の太陽光の下など、携帯電話機１の周囲が非常に明るいと、被写体にフラッシュを照射しても、第１撮影画像の被写体と第２撮影画像の被写体とに明るさの差が出にくく、被写体領域と背景領域との区分けを行いにくい。これに対し、本変更例のように、有彩色の光をフラッシュに用いた場合、携帯電話機１の周囲が非常に明るいときでも、フラッシュを照射することにより２つの撮影画像の被写体に色の差を与えることができ、被写体領域と背景領域との区分けを行いやすい。
【００８４】
＜変更例２＞
本変更例では、ユーザの選択操作によって、撮影画像毎にフラッシュの色が設定される。より詳しくは、ユーザにより被写体の主な色が選択され、選択された色の補色がフラッシュの色に設定される。
【００８５】
図８（ａ）は、本変更例に係る、背景ぼかしモードの撮影処理を示すフローチャートである。図８（ｂ）は、色選択ウィンドウ１０６が表示されたディスプレイ３を示す図である。図８（ａ）の撮影処理では、図７の撮影処理におけるステップ１０２の処理とステップＳ１０３の処理の間に、ステップＳ１３１ないしステップＳ１３３の処理が挿入される。なお、便宜上、図８（ａ）では、図７の撮影処理と同じ処理について、一部の処理の記載が省略されている。以下、主に、図７の撮影処理と異なる処理について説明する。
【００８６】
撮影画面１０４がディスプレイ３に表示されると（Ｓ１０２）、制御部１１は、撮影画面１０４に重ねて色選択ウィンドウ１０６を表示する（Ｓ１３１）。色選択ウィンドウ１０６には、図８（ｂ）に示すように、選択候補の各色に対応する選択オブジェクト１０６ａが配されている。ユーザは、色選択ウィンドウ１０６上のメッセージにより、被写体の主な色を選択するように促される。何れかの選択ウィンドウ１０６ａに対するタッチ操作（たとえば、タップ操作）により色が選択されると（Ｓ１３２：ＹＥＳ）、制御部１１は、選択された色の補色をフラッシュの色に設定する（Ｓ１３３）。
【００８７】
ユーザによりシャッター操作がなされると、第１の撮影および第２の撮影が行われる（Ｓ１０３〜Ｓ１２２）。第２の撮影では、ステップＳ１３３で設定された色のフラッシュがディスプレイ３から放出される。
【００８８】
本変更例によれば、被写体の主な色の補色のフラッシュを被写体に照射できるので、第１撮影画像の被写体と第２撮影画像の被写体に色の差が出やすい。よって、被写体領域と背景領域との区分が行いやすくなる。
【００８９】
＜変更例３＞
上記変更例２では、色選択ウィンドウ１０６上で、複数の候補の中からユーザにより何れかの色が選択される。これに対し、本変更例では、ユーザによりタッチされた被写体の部位の色が取得され、取得された色の補色がフラッシュの色に設定される。
【００９０】
図９（ａ）は、本変更例に係る、背景ぼかしモードの撮影処理を示すフローチャートである。図９（ｂ）は、ディスプレイ３にタッチを促すメッセージ１０７が表示され、ユーザにより被写体の所定の位置がタッチされる様子を示す図である。図９（ａ）の撮影処理では、図７の撮影処理におけるステップ１０２の処理とステップＳ１０３の処理の間に、ステップＳ１４１ないしステップＳ１４３の処理が挿入される。なお、便宜上、図９（ａ）では、図７の撮影処理と同じ処理について、一部の処理の記載が省略されている。以下、主に、図７の撮影処理と異なる処理について説明する。
【００９１】
撮影画面１０４がディスプレイ３に表示されると（Ｓ１０２）、制御部１１は、撮影画
面１０４に重ねて、色を取得する位置へのタッチをユーザに促すメッセージ１０７を表示する（Ｓ１４１）。図９（ｂ）に示すように、ユーザは、被写体の主要な色を占める部位に対してタッチ操作（たとえば、タップ操作）を行う。タッチ操作がなされると（Ｓ１４２：ＹＥＳ）、制御部１１は、プレビュー画像１０４ａからタッチされた位置の色を取得し、取得した色の補色をフラッシュの色に設定する（Ｓ１４３）。
【００９２】
ユーザによりシャッター操作がなされると、第１の撮影および第２の撮影が行われる（Ｓ１０３〜Ｓ１２２）。第２の撮影では、ステップＳ１４３で設定された色のフラッシュがディスプレイ３から放出される。
【００９３】
本変更例によれば、被写体の主な色の補色のフラッシュを被写体に照射できるので、第１撮影画像の被写体と第２撮影画像被写体に色の差が出やすい。よって、被写体領域と背景領域との区分が行いやすくなる。
【００９４】
さらに、本変更例によれば、ユーザは、被写体が有する実際の色を選択でき、実際の色の補色をフラッシュの色に設定できる。
【００９５】
＜変更例４＞
本変更例では、携帯電話機１の周囲の明るさに応じてフラッシュを白色とするか有彩色とするかが自動的に選択される。上述した理由により、周囲が非常に明るいときは、有彩色のフラッシュを用いることが望ましい。一方、ディスプレイ３のＬＥＤバックライトを同じ輝度で発光させた場合、白色のフラッシュでは、ＬＥＤバックライトからの白色の光が液晶パネルを全て通過するのに対し、有彩色のフラッシュでは、ＬＥＤバックライトからの白色の光の一部の色（波長）の光が液晶パネルで除かれ、残りの光が有彩色の光として液晶パネルを通過する。このため、有彩色のフラッシュの輝度に比べて、白色のフラッシュの輝度が高くなる。よって、白色のフラッシュの方が遠くへ届きやすいため、周囲の輝度がそれほど明るくない場合は、白色のフラッシュを用いることが望ましい。
【００９６】
図１０は、本変更例に係る、背景ぼかしモードの撮影処理を示すフローチャートである。図１０の撮影処理では、図４の撮影処理におけるステップ１０５の処理とステップＳ１０６の処理の間に、ステップＳ１５１およびステップＳ１５２の処理が挿入され、さらに、ステップＳ１２１ないしステップＳ１２４の処理が追加されている。なお、便宜上、図１０では、図４の撮影処理と同じ処理について、一部の処理の記載が省略されている。以下、主に図４の撮影処理と異なる処理について説明する。
【００９７】
制御部１１は、第１撮影画像を記憶すると（Ｓ１０５）、照度検出部２２により携帯電話機１の周囲の明るさを検出する（Ｓ１５１）。制御部１１は、検出された明るさが所定の閾値を超えているか否かを判定する（Ｓ１５２）。所定の閾値は、試験等により予め設定される。
【００９８】
検出された明るさが所定の閾値を超えていない場合（Ｓ１５２：ＮＯ）、制御部１１は、白色のフラッシュを放出した状態で第２の撮影を行い、第１撮影画像と第２撮影画像の同じ画素同士の明るさの違いに基づいて、第１撮影画像の領域を、被写体領域と背景領域とに区分する（Ｓ１０６〜Ｓ１０９）。一方、検出された明るさが所定の閾値を超えている場合（Ｓ１５２：ＹＥＳ）、制御部１１は、有彩色のフラッシュを放出した状態で第２の撮影を行い、第１撮影画像と第２撮影画像の同じ画素同士の色の違いに基づいて、第１撮影画像の領域を、被写体領域と背景領域とに区分する（Ｓ１２１〜Ｓ１２４）。
【００９９】
本変更例によれば、携帯電話機１の周囲の明るさに応じて、フラッシュの色が白色または有彩色のうち、第１撮影画像の被写体と第２撮影画像の被写体に状態（明るさ、色）の
差が生じやすい色に設定される。よって、被写体領域と背景領域との区分が行いやすくなる。
【０１００】
＜実施例２＞
ユーザは、ある撮影画像の被写体を別の背景に張り付けて合成画像を作成したい場合がある。たとえば、屋外で撮影した画像に含まれる被写体を無地の背景に張り付けて証明写真を作成する場合などが想定される。そこで、本実施例では、携帯電話機１が、撮影モードの一つとして画像合成モードを備えている。画像合成モードの撮影には、インカメラ８（第１撮影部２０）が用いられる。
【０１０１】
ディスプレイ３に表示された撮影モードの選択画面（図示せず）から、ユーザにより、画像合成モードが選択されると、撮影モードが画像合成モードに設定される。以下、画像合成モードについて説明する。
【０１０２】
図１１は、画像合成モードの撮影処理を示すフローチャートである。図１２（ａ）は、第１撮影画像から切り取られた被写体領域の画像を示す図である。図１２（ｂ）は背景選択画面１０８が表示されたディスプレイ３を示す図である。図１２（ｃ）は、選択された背景画像に、切り取られた被写体領域の画像が張り付けられた合成画像を示す図である。
【０１０３】
撮影画像から被写体を切り取るためには、撮影画像の領域を、被写体領域と背景領域とに区分する必要がある。このため、画像合成モードの撮影処理には、上記実施例１と同様、撮影画像の領域を、被写体領域と背景領域に区分するための処理が含まれている。
【０１０４】
図１１を参照して、画像合成モードの撮影処理が開始されると、上記実施例１と同様、制御部１１は、インカメラ８を起動し（Ｓ２０１）、撮影画面１０４をディスプレイ３に表示する（Ｓ２０２）。シャッター操作がなされると（Ｓ２０３：ＹＥＳ）、第１の撮影と第２の撮影を続けて行い、第１撮影画像と第２撮影画像の同じ画素同士の明るさの違いに基づいて、第１撮影画像の領域を、被写体領域と背景領域とに区分する（Ｓ２０４〜Ｓ２０９）。そして、制御部１１は、図１２（ａ）に示すように、第１撮影画像から被写体領域の画像を切り取る（Ｓ２１０）。
【０１０５】
制御部１１は、ユーザが背景画像を選択するための背景選択画面１０８をディスプレイ３に表示する（Ｓ２１１）。図１２（ｂ）に示すように、背景選択画面１０８は選択候補である背景画像のサムネイル１０８ａと決定オブジェクト１０８ｂとを含む。
【０１０６】
ユーザは、所望の背景画像のサムネイル１０８ａをタッチ操作（たとえば、タップ操作）により選択し、決定オブジェクト１０８ｂへのタッチ操作（たとえば、タップ操作）を行う。制御部１１は、背景画像の選択が完了したと判定し（Ｓ２１２：ＹＥＳ）、切り取られた被写体領域の画像を、選択された背景画像に張り付ける（Ｓ２１３）。図１２（ｃ）に示すように、合成画像が生成される。制御部１１は、生成された合成画像の画像データを、一時記憶フォルダ１２ａに一時的に記憶する（Ｓ２１４）。
【０１０７】
制御部１１は、上記実施例１と同様、保存ウィンドウ１０５を撮影画面１０４に重ねて表示する（Ｓ２１５、図５（ｂ）参照）。保存オブジェクト１０５ａに対するタッチ操作（たとえば、タップ操作）がなされると、制御部１１は、保存すると判定し（Ｓ２１６：ＹＥＳ）、合成画像の画像データを恒久記憶フォルダ１２ｂに保存する（Ｓ２１７）。
【０１０８】
シャッター操作がなされる前に、カメラのアプリケーションを終了する操作がなされると（Ｓ２１８：ＹＥＳ）、制御部１１は、インカメラ８を停止して（Ｓ２１９）、画像合成モードの撮影処理を終了する。
【０１０９】
以上、本実施例によれば、撮影画像の領域を、被写体領域と背景領域とに区分し、被写体領域の画像を切り取り所定の背景画像に張り付けて合成画像を生成する画像合成モードを、携帯電話機１が備えている。このため、ユーザは、画像合成モードで撮影を行うことにより、被写体を所望の背景に重ねた合成画像（合成写真）を得ることができる。
【０１１０】
さらに、本実施例によれば、上記実施例１と同様、２つ撮影画像における同じ画素同士の明るさを判断するという簡易な処理にて、撮影画像の領域を被写体領域と背景領域とに区分できる。
【０１１１】
なお、本実施例の構成に、上記変更例１ないし上記変更例４の構成を、適宜、組み合わせることができる。この場合、上記変更例１ないし上記変更例４における撮影処理のステップＳ１１０の処理が、本実施例の撮影処理におけるステップＳ２１０ないしステップＳ２１３の処理に置き換えられる。
【０１１２】
＜その他の変更例＞
以上、本発明の実施の形態について説明したが、本発明は、上記実施の形態等によって何ら制限されるものではなく、また、本発明の実施の形態も、上記以外に種々の変更が可能である。
【０１１３】
たとえば、上記実施例１等では、第１の撮影に続いて第２の撮影が行われる。しかしながら、第２の撮影に続いて第１の撮影が行われても良い。この場合、第２の撮影に用いられる露出値は、たとえば、撮影前に広角レンズに取り込まれる光量に応じて設定される。
【０１１４】
また、第２の撮影に続いて第１の撮影が行われる場合、シャッター操作に基づくシャッター音と第２の撮影の発光とを同時に発生させることが可能となり、それらの発生タイミングの大幅なずれを防ぐことができるため、ユーザにとって比較的違和感のない操作が可能となる。
【０１１５】
さらに、上記実施例１等では、ディスプレイ３（画像出力部１３）がフラッシュの発光部として兼用される。しかしながら、フラッシュを放出する専用の発光部がキャビネット２に配されても良い。
【０１１６】
さらに、上記実施例１等では、背景ぼかしモードおよび画像合成モードにインカメラ８（第１撮影部２０）が用いられる。しかしながら、背景ぼかしモードおよび画像合成モードにアウトカメラ９（第２撮影部２１）が用いられても良い。この場合、アウトカメラ９での撮影方向にフラッシュを放出する専用の発光部がキャビネット２に配されると良い。あるいは、キャビネット２の背面側にサブディスプレイが配される場合には、サブディスプレイがフラッシュの発光部に兼用されても良い。
【０１１７】
さらに、上記実施例１等では、インカメラ８およびアウトカメラ９に、単焦点の広角カメラが用いられている。しかしながら、インカメラ８およびアウトカメラ９は、必ずしも単焦点の広角カメラでなくてよく、その他の種類のカメラでも良い。
【０１１８】
さらに、上記実施例１等では、携帯電話機１がインカメラ８およびアウトカメラ９の２つのカメラを備えている。しかしながら、携帯電話機１は、２つのカメラを備える必要はなく、少なくとも１つのカメラを備えていれば良い。
【０１１９】
さらに、上記変更例２では、色選択ウィンドウ１０６上でユーザが被写体の主な色を選択すると、選択された色の補色がフラッシュの色に設定される。しかしながら、色選択ウ
ィンドウ１０６が、フラッシュの色を選択するものとされ、選択された色がフラッシュの色に設定されても良い。この場合、ユーザは、被写体の主な色の補色を、色選択ウィンドウ１０６上で選択する。
【０１２０】
さらに、上記実施例１等では、第２の撮影の際に自動露出機能が停止されるが、第２の撮影の際に自動露出機能が働くような構成が採られても良い。
【０１２１】
さらに、上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１２２】
さらに、本発明は、携帯電話機に限られず、ＰＤＡ（Personal DigitalAssistant）、タブレットＰＣ（Tablet PC）等、種々のカメラ付きの携帯端末装置に適用可能である。さらに、本発明は、デジタルカメラに適用可能である。すなわち、本発明は、各種のカメラ機能を有する機器に適用可能である。
【０１２３】
この他、本発明の実施形態は、特許請求の範囲に示された技術的思想の範囲内において、適宜、種々の変更が可能である。
【符号の説明】
【０１２４】
１１  制御部（撮影制御部）
１３  画像出力部（発光部、表示部）
１４  タッチ検出部（位置検出部）
２０  第１撮影部（撮影部）
２２  照度検出部（明るさ検出部）
【図１】
2015104031.tif 000003
【図２】
2015104031.tif 000004
【図３】
2015104031.tif 000005
【図４】
2015104031.tif 000006
【図５】
2015104031.tif 000007
【図６】
2015104031.tif 000008
【図７】
2015104031.tif 000009
【図８】
2015104031.tif 000010
【図９】
2015104031.tif 000011
【図１０】
2015104031.tif 000012
【図１１】
2015104031.tif 000013
【図１２】
2015104031.tif 000014
【図１３】
2015104031.tif 000015